(57)【要約】【課題】屋外作業にかかる作業効率の向上を図り、作業時間の短縮を図ること。【解決手段】中空のドーム形状をなすカバー部１１０と、カバー部１１０を支持する骨組部材１２１と、骨組部材１２１を電線３０１に固定する脚部１３０と、を備えた屋外作業支援装置１００を構成した。これにより、作業対象箇所を上方から覆う位置に屋外作業支援装置１００を取り付けることによって、日差しがまぶしくて作業者６０１の視界が遮られたり、降雨時の雨滴によって作業者６０１の視界が遮られたりすることを防止することができる。【選択図】図６
2017099240.tif 000002
【特許請求の範囲】
【請求項１】
中空のドーム形状をなすカバー部と、
前記カバー部を支持する骨組部材と、
前記骨組部材を電線に固定する脚部と、
を備えたことを特徴とする屋外作業支援装置。
【請求項２】
前記カバー部は、メッシュ構造をなすことを特徴とする請求項１に記載の屋外作業支援装置。
【請求項３】
前記カバー部は、少なくともドーム形状の内側部分が、白色または淡色であることを特徴とする請求項１または２に記載の屋外作業支援装置。
【発明の詳細な説明】
【技術分野】
【０００１】
この発明は、屋外作業を支援する屋外作業支援装置に関する。
【背景技術】
【０００２】
近年、配電線作業においては、間接活線工法による作業が主流となっている。間接活線工法による作業に際しては、たとえば、間接活線操作棒などと称される絶縁材料を用いて形成された長棒状の部材と、当該間接活線操作棒の先端に取り付けられるアタッチメント工具とを用いる。これにより、作業者は作業対象箇所から離れた位置において、充電した電線に直接触れずに作業をおこなうことができる。このような間接活線工法による作業対象箇所は、屋外とされる。
【０００３】
関連する技術として、従来、たとえば、１枚の防水性シートを、複数のフレームによって、天頂部が上方に凸のアーチ状および下部として柱状の空間を囲繞するように袋状に張設される用に構成した雨天作業用テントに関する技術があった（たとえば、下記特許文献１を参照。）。また、関連する技術として、従来、たとえば、絶縁性を有しかつ遮光可能な遮光部と、遮光部をバケットに固定する長尺な支持部とを備えた日除け器具に関する技術があった（たとえば、下記特許文献２を参照。）。
【先行技術文献】
【特許文献】
【０００４】
【特許文献１】特開２００６−２５７７５９号公報
【特許文献２】特開２０１１−１０９８４７号公報
【発明の概要】
【発明が解決しようとする課題】
【０００５】
しかしながら、間接活線工法による作業対象箇所は、屋外であり、作業者の位置（特に作業者の目線の位置）よりも上方であることが多い。このため、従来、天候や時間帯を考慮することなくおこなわれる配電線作業においては、日差しがまぶしくて作業者の視界が遮られたり、降雨時の雨滴によって作業者の視界が遮られたりして、作業効率に劣るという問題があった。また、まぶしい日差しの中の作業や降雨時の作業は、作業者の疲労を大きくし、作業時間が不要に長くなったり、一層作業効率が劣ったりするという問題があった。
【０００６】
また、上述した特許文献１に記載された従来の技術は、大型であり、設置および撤去にかかる負担が大きく、間接活線作業に特化した作業効率を図るために活用できるものではないという問題があった。また、上述した特許文献２に記載された従来の技術は、高所作業車のバケット内で作業する際に用いるため、利用状況が限られるという問題があった。
【０００７】
この発明は、上述した従来技術による問題点を解消するため、屋外作業にかかる作業効率の向上を図り、作業時間の短縮を図ることができる屋外作業支援装置を提供することを目的とする。
【課題を解決するための手段】
【０００８】
上述した課題を解決し、目的を達成するため、この発明にかかる屋外作業支援装置は、中空のドーム形状をなすカバー部と、前記カバー部を支持する骨組部材と、前記骨組部材を電線に固定する脚部と、を備えたことを特徴とする。
【０００９】
また、この発明にかかる屋外作業支援装置は、上記の発明において、前記カバー部が、メッシュ構造をなすことを特徴とする。
【００１０】
また、この発明にかかる屋外作業支援装置は、上記の発明において、前記カバー部が、少なくともドーム形状の内側部分が、白色または淡色であることを特徴とする。
【発明の効果】
【００１１】
この発明にかかる屋外作業支援装置によれば、屋外作業にかかる作業効率の向上を図り、作業時間の短縮を図ることができるという効果を奏する。
【図面の簡単な説明】
【００１２】
【図１】この発明にかかる実施の形態の屋外作業支援装置の構成を示す説明図である。
【図２】脚部を示す説明図である。
【図３】この発明にかかる実施の形態の屋外作業支援装置の着脱手順を示す説明図（その１）である。
【図４】この発明にかかる実施の形態の屋外作業支援装置の着脱手順を示す説明図（その２）である。
【図５】この発明にかかる実施の形態の屋外作業支援装置の取り付け例を示す説明図である。
【図６】この発明にかかる実施の形態の屋外作業支援装置を用いた作業例を示す説明図（その１）である。
【図７】この発明にかかる実施の形態の屋外作業支援装置を用いた作業例を示す説明図（その２）である。
【発明を実施するための形態】
【００１３】
以下に添付図面を参照して、この発明にかかる屋外作業支援装置の好適な実施の形態を詳細に説明する。
【００１４】
まず、この発明にかかる実施の形態の屋外作業支援装置の構成について説明する。図１は、この発明にかかる実施の形態の屋外作業支援装置の構成を示す説明図である。図１において、この発明にかかる実施の形態の屋外作業支援装置１００は、カバー部１１０と、骨組部１２０と、脚部１３０と、によって構成されている。
【００１５】
カバー部１１０は、１ないし複数枚のシート部材１１１によって構成され、雨傘のような中空のドーム形状（山型形状）をなす。シート部材１１１は、絶縁材料を用いて形成され具体的には、たとえば、ビニル樹脂やポリエチレン樹脂などによって形成することができる。
【００１６】
シート部材１１１は、メッシュ構造をなすことが好ましい。メッシュ構造をなすシート部材１１１とすることにより、屋外作業支援装置１００の軽量化を図り、良好な取り扱い性を確保することができる。また、シート部材１１１を形成する絶縁材料は、白色あるいは淡色（明調の薄色）であることが好ましい。シート部材１１１を形成する絶縁材料は、電線などの作業対象とは反対の色であることが好ましい。具体的には、電線の被覆や被覆内の電線が黒色などの暗色である場合、暗色とは反対の色となる白色あるいは淡色（明調の薄色）とすることにより、作業箇所を確実に視認することができる。
【００１７】
カバー部１１０は、カバー部１１０がなすドームの内側（あるいは外側）から見た場合に、略長方形状をなす。カバー部１１０の形状は、カバー部１１０がなすドームの内側（あるいは外側）から見た場合に、略長方形状をなすものに限らず、たとえば、正方形状であってもよく、その他の多角形状であってもよく、円形であっても、楕円形であってもよい。
【００１８】
骨組部１２０は、カバー部１１０がなす略長方形状の対角線に沿って、カバー部１１０の中央部で交差するように設けられた２本の骨組部材１２１によって構成されている。２本の骨組部材１２１の両端部は、それぞれ、カバー部１１０の外縁から外方に突出している。骨組部材１２１は、それぞれ、可撓性を有する材料によって形成された棒状部材によって実現することができる。骨組部材１２１は、加えられた外力に応じて変形する柔軟性を備えた材料によって形成されていてもよい。
【００１９】
骨組部材１２１は、具体的には、たとえば、軟銅によって形成することができる。軟銅は、硬銅を焼き鈍し（加工硬化による内部のひずみを取り除いて組織を軟化させ、展延性を向上させる熱処理）をすることによって形成される。あるいは、骨組部材１２１は、ＦＲＰなどを用いて形成してもよい。
【００２０】
脚部１３０は、２本の骨組部材１２１における両端部の近傍に、それぞれ設けられている。脚部１３０は、たとえば、２本の骨組部材１２１における両端部から、１０ｃｍ程度離れた位置に設けることが好ましい。これにより、カバー部１１０の外周縁は、４つの脚部１３０を頂点とする方形における周縁よりも外側に位置付けられ、カバー部１１０において４つの脚部１３０を頂点とする方形における周縁よりも外側に張り出した部分が、家屋などにおける屋根の軒（庇）のようになる。
【００２１】
なお、カバー部１１０の外縁から外方に突出た２本の骨組部材１２１の両端部のそれぞれに脚部１３０を設け、カバー部１１０の外周縁が骨組部材１２１の先端部よりも外側に（たとえば、１０ｃｍ程度）張り出した状態となるように、カバー部１１０の大きさを調整してもよい。この場合、カバー部１１０において、骨組部材１２１の先端部よりも外側に張り出した部分が、家屋などにおける屋根の軒（庇）のようになる。
【００２２】
図２は、脚部１３０を示す説明図である。図２において、脚部１３０は、カバー部１１０の外縁から外方に突出た２本の骨組部材１２１の両端部のそれぞれに設けられている。この実施の形態において、脚部１３０は、４個設けられている。脚部１３０は、骨組部材１２１の両端部のそれぞれに連結された略「Ｃ」字形状の電線把持部材２０１を備えている。電線把持部材２０１の内面であって骨組部材１２１側の面には、滑り止め部材２０２が設けられている。滑り止め部材２０２は、表面の摩擦係数が高い材料を用いて形成され、具体的には、たとえば、ゴムなどを用いて形成することができる。
【００２３】
電線把持部材２０１において滑り止め部材２０２と反対側の位置には、電線把持部材２０１の外側から内側に貫通するボルト孔（図示を省略する）が設けられている。このボルト孔には、固定用ボルト２０３が螺合されている。固定用ボルト２０３の一端側は、電線把持部材２０１の内側に突出している。固定用ボルト２０３の他端側は、電線把持部材２０１の外側に位置し、ジョイント金具２０４が設けられている。
【００２４】
ジョイント金具２０４は、固定用ボルト２０３とは反対側の端部が開口した、略円筒形状をなす。ジョイント金具２０４には、略「Ｔ」字形状をなす溝２０４ａが設けられている。この溝２０４ａは、ジョイント金具２０４の外周側から内周側に貫通している。ジョイント金具２０４には、間接活線操作棒の先端に設けられた公知の連結機構を、取り外し可能に連結することができる。
【００２５】
（屋外作業支援装置１００の着脱手順）
つぎに、この発明にかかる実施の形態の屋外作業支援装置１００の着脱手順について説明する。図３および図４は、この発明にかかる実施の形態の屋外作業支援装置１００の着脱手順を示す説明図である。図５は、この発明にかかる実施の形態の屋外作業支援装置１００の取り付け例を示す説明図である。
【００２６】
屋外作業支援装置１００は、たとえば、複数の架空電線に取り付けて使用する。屋外作業支援装置１００の取り付けに際しては、まず、屋外作業支援装置１００を、目的とする取り付け位置に近づける。目的とする取り付け位置は、たとえば、作業対象箇所を上方から覆う位置とすることができる。
【００２７】
このとき、メッシュ構造をなすシート部材１１１を備えた屋外作業支援装置１００である場合、屋外作業支援装置１００の軽量化を図ることができるため、目的とする取り付け位置が架線の上などの高所であっても屋外作業支援装置１００を容易に運搬し取り付けることができる。
【００２８】
つぎに、ジョイント金具２０４に間接活線操作棒の先端の連結機構を連結させ、固定用ボルト２０３を緩める方向に回す。固定用ボルト２０３は、固定用ボルト２０３の先端と滑り止め部材２０２との間の間隔が、取り付け対象とする部材である電線３０１の直径よりも広くなるまで回転させる。固定用ボルト２０３は、固定用ボルト２０３の先端と滑り止め部材２０２との間の間隔が取り付け対象とする電線３０１の直径よりも広くなるように、屋外作業支援装置１００を目的とする取り付け位置に近づける前に、あらかじめ緩める方向に回しておいてもよい。
【００２９】
つぎに、固定用ボルト２０３の先端と滑り止め部材２０２との間に電線３０１を挿入する（図３を参照）。この状態で、固定用ボルト２０３を締める方向に回転させる。固定用ボルト２０３は、固定用ボルト２０３の先端が電線３０１に当接し、固定用ボルト２０３の先端と滑り止め部材２０２との間に電線３０１が挟まれた状態（固定用ボルト２０３がこれ以上回転しない状態）になるまで回転させる（図４を参照）。電線３０１把持部材２０１の内面には滑り止め部材２０２が設けられているため、外周が曲線状（断面が円形）の電線３０１に脚部１３０を固定する場合にも確実に固定することができる。
【００３０】
屋外作業支援装置１００は、上記の作業を、脚部１３０の数だけおこなうことで、目的とする取り付け位置に取り付けることができる（図５を参照）。屋外作業支援装置１００を取り外す際は、上記の作業とは逆の作業を、脚部１３０の数だけおこなう。すなわち、固定用ボルト２０３を緩める方向に回して脚部１３０が電線３０１を固定する力を緩め、その後、電線３０１から脚部１３０を取り外す作業を脚部１３０の数だけおこなう。これにより、屋外作業支援装置１００は、目的とする取り付け位置に対して、容易に取り付けることができ、また、取り外すことができる。
【００３１】
（屋外作業支援装置１００を用いた作業例）
図６および図７は、この発明にかかる実施の形態の屋外作業支援装置１００を用いた作業例を示す説明図である。図６および図７に示すように、作業対象箇所を上方から覆う位置に屋外作業支援装置１００を取り付けることによって、日差しがまぶしくて作業者６０１の視界が遮られたり、降雨時の雨滴によって作業者６０１の視界が遮られたりすることを防止することができる。
【００３２】
また、屋外作業支援装置１００は、中空のドーム形状をなすため、作業対象箇所を上方から覆う位置に屋外作業支援装置１００を取り付けても作業に支障を来すことがなく、カバー部１１０の内側において作業に不自由なく間接活線工具６０２を動かすことができる。
【００３３】
また、屋外作業支援装置１００のカバー部１１０を白色あるいは明調の薄色とすることによって、作業時の天候や作業をおこなう時刻に左右されることなく、作業対象箇所および間接活線工具６０２の先端を確実に目視することができる。これにより、屋外作業にかかる作業効率の向上を図り、作業時間の短縮を図ることができる。
【００３４】
また、屋外作業支援装置１００は、上記の簡単な手順によって取り付けたり取り外したりすることができるので、個人の作業レベルに影響を与えることがなく、屋外作業支援装置１００を用いて作業をおこなう作業者すべての作業効率の向上を図り、作業時間の短縮を図ることができる。
【００３５】
また、屋外作業支援装置１００は、シート状部材と２本の骨組部材１２１と簡易な構成の脚部１３０とによって構成されているため、低コストで屋外作業支援装置１００を製造することができる。このため、たとえば、事業所ごとなどにおいて、屋外作業支援装置１００を多数用意しておくことが可能になり、多くの作業者が屋外作業支援装置１００を常に携行することで、作業の途中で日差しの向きや天候など環境が変化した場合にも即時に対応することができ、これによっても作業効率の向上を図り、作業時間の短縮を図ることができる。
【００３６】
また、カバー部１１０の外周縁が、４つの脚部１３０を頂点とする方形における周縁よりも外側に位置付けられている。このため、４つの脚部１３０を頂点とする方形よりも広い範囲をカバー部１１０によって覆うことができる。これにより、降雨時に作業する場合にも脚部１３０が濡れることを防止することができる。
【００３７】
また、４つの脚部１３０を頂点とする方形よりも広い範囲をカバー部１１０によって覆うことにより、屋外作業支援装置１００の取り付けに要する範囲（４つの脚部１３０を頂点とする方形の大きさ）よりも広い範囲を覆うことができる。これにより、屋外作業支援装置１００の取り付けに要する範囲の大きさに制限されることなく、日差しがまぶしくて作業者６０１の視界が遮られたり、降雨時の雨滴によって作業者６０１の視界が遮られたりすることをより確実に防止することができ、一層の作業性の向上を図ることができる。
【００３８】
以上説明したように、この発明にかかる実施の形態の屋外作業支援装置１００は、中空のドーム形状をなすカバー部１１０と、カバー部１１０を支持する骨組部材１２１と、骨組部材１２１を電線３０１に固定する脚部１３０と、を備えたことを特徴としている。
【００３９】
この発明にかかる実施の形態の屋外作業支援装置１００によれば、作業対象箇所を上方から覆う位置に屋外作業支援装置１００を取り付けることによって、日差しがまぶしくて作業者６０１の視界が遮られたり、降雨時の雨滴によって作業者６０１の視界が遮られたりすることを防止することができる。
【００４０】
また、屋外作業支援装置１００は、中空のドーム形状をなすため、作業対象箇所を上方から覆う位置に屋外作業支援装置１００を取り付けても作業に支障を来すことがなく、カバー部１１０の内側において作業に不自由なく間接活線工具６０２を動かすことができる。
【００４１】
このように、この発明にかかる実施の形態の屋外作業支援装置１００によれば、作業者は、作業時の天候や作業をおこなう時刻に左右されることなく作業をおこなうことができるので、屋外作業にかかる作業効率の向上を図り、作業時間の短縮を図ることができる。
【００４２】
また、この発明にかかる実施の形態の屋外作業支援装置１００は、カバー部１１０が、メッシュ構造をなすことを特徴としている。
【００４３】
この発明にかかる実施の形態の屋外作業支援装置１００によれば、メッシュ構造をなすシート部材１１１を用いてカバー部１１０を構成することにより、屋外作業支援装置１００の軽量化を図ることができる。これにより、屋外作業支援装置１００の取り付け位置が架線の上などの高所であっても屋外作業支援装置１００を容易に運搬し取り付けることができるので、屋外作業にかかる作業効率の向上を図り、作業時間の短縮を図ることができる。
【００４４】
また、この発明にかかる実施の形態の屋外作業支援装置１００によれば、メッシュ構造をなすシート部材１１１を用いてカバー部１１０を構成することにより、カバー部１１０より上側からの外光をメッシュの穴を介してカバー部１１０の内側に取り込むことができ、かつ、外光を直接取り入れる場合よりも外光の強度を和らげることができるので、作業者が、作業をおこなう時刻に左右されることなく、作業対象箇所および間接活線工具６０２の先端を確実に目視することができる。これにより、屋外作業に関して、作業効率の向上を図り、作業時間の短縮を図ることができる。
【００４５】
さらに、この発明にかかる実施の形態の屋外作業支援装置１００によれば、メッシュ構造における穴の大きさを調整することにより、強雨でない限りは雨水の浸入を避けつつ外光をカバー部１１０の内側に取り入れることができる。これにより、屋外作業支援装置１００の取り付けにかかる作業者の作業負担を軽減し、かつ、作業者が、作業対象箇所および間接活線工具６０２の先端を確実に目視することができる。これにより、屋外作業に関して、作業効率の向上を図り、作業時間の短縮を図ることができる。
【００４６】
また、この発明にかかる実施の形態の屋外作業支援装置１００は、カバー部１１０が、少なくともドーム形状の内側部分が、白色または淡色であることを特徴としている。ドーム形状の内側部分は、白色または淡色（明調の薄色）であることが好ましい。
【００４７】
この発明にかかる実施の形態の屋外作業支援装置１００によれば、作業時の天候や作業をおこなう時刻に左右されることなく、作業対象箇所および間接活線工具６０２の先端を確実に目視することができる。これにより、屋外作業に関して、作業効率の向上を図り、作業時間の短縮を図ることができる。
【００４８】
また、メッシュ構造をなす白色または淡色（明調の薄色）のシート部材１１１を用いてカバー部１１０を構成することにより、屋外作業支援装置１００の取り付けにかかる作業者の作業負担を軽減し、かつ、作業者が、作業対象箇所および間接活線工具６０２の先端を確実に目視することができる。これにより、屋外作業に関して、作業効率の向上を図り、作業時間の短縮を図ることができる。
【産業上の利用可能性】
【００４９】
以上のように、この発明にかかる屋外作業支援装置は、屋外作業を支援する屋外作業支援装置に有用であり、特に、作業時の天候や作業時刻をあらかじめ定めることが難しい屋外作業を支援する屋外作業支援装置に適している。
【符号の説明】
【００５０】
１００  屋外作業支援装置
１１０  カバー部
１２１  骨組部材
１３０  脚部
３０１  電線
【図１】
2017099240.tif 000003
【図２】
2017099240.tif 000004
【図３】
2017099240.tif 000005
【図４】
2017099240.tif 000006
【図５】
2017099240.tif 000007
【図６】
2017099240.tif 000008
【図７】
2017099240.tif 000009